(57)【要約】  従来の磁気抵抗検出器の感度は定数ではなく、例えば、製造誤差、時効効果及び温度のような制御できない変数に依存する。従って、磁気抵抗検出器が実行する測定の実効利得も、これらの制御できない変数に左右される。公知の手法による問題解決では、必要なハードウェアの複雑度が増し、安定度が落ちる。  本願発明の目的は、良好な電気出力信号特性を有する磁気抵抗検出器装置、かかる磁気抵抗検出器を少なくとも１つ含む生体素子、及び磁気抵抗検出器の電気出力信号を安定化する方法を提供することである。この目的を本願発明による方法及び装置により達成する。
2009536345.tif 000002
【特許請求の範囲】
【請求項１】
磁場を発生するための磁場発生器；
前記磁場を検出するための少なくとも１つの磁気抵抗素子；
検出電流を前記少なくとも１つの磁気抵抗素子に流し、前記流すことにより検出する前記磁場に依存する検出信号を発生するための電流源；及び
振幅を有し、前記検出信号から導出される、電気出力信号を発生するための電子的手段、ここで前記電子的手段は安定化回路を含む；
を含む磁気抵抗検出器、ここで前記安定化回路は、前記検出信号の直流成分を測定するための手段及び前記直流成分に対応する前記電気出力信号の前記振幅を安定化するための手段を含む。
【請求項２】
前記直流成分を測定するための前記手段は、低域通過フィルターを含む、請求項１による磁気抵抗検出器。
【請求項３】
前記低域通過フィルターは、低次の低域通過フィルターである、請求項２による磁気抵抗検出器。
【請求項４】
前記電気出力信号の前記振幅を安定化するための前記手段は、前記検出信号の前記直流成分の大きさにより制御される正規化器を含む、請求項２による磁気抵抗検出器。
【請求項５】
前記安定化回路は、フィードフォワードループを含む、請求項１による磁気抵抗検出器。
【請求項６】
前記安定化回路は、フィードバックループを含む、請求項１による磁気抵抗検出器。
【請求項７】
前記フィードバックループは、減算器及び積分ループフィルターを含む、請求項６による磁気抵抗検出器。
【請求項８】
前記フィードバックループは、乗算器を更に含む、請求項６による磁気抵抗検出器。
【請求項９】
前記電子的手段は、前記検出信号を増幅するための増幅器を更に含む、請求項１による磁気抵抗検出器。
【請求項１０】
前記磁気抵抗素子は、ＧＭＲ素子、ＴＭＲ素子又はＡＭＲ素子である、請求項１による磁気抵抗検出器。
【請求項１１】
前記磁場発生器は、少なくとも１つの導電体を含む、請求項１による磁気抵抗検出器。
【請求項１２】
前記少なくとも１つの導電体は、少なくとも１つの導電線により形成される、請求項１１による磁気抵抗検出器。
【請求項１３】
前記磁場発生器は磁化可能対象を磁化するために適応し；かつ
前記少なくとも１つの磁気抵抗素子は、前記磁化可能対象が磁化したときに発生する磁場を検出するように適応する；
請求項１による磁気抵抗検出器。
【請求項１４】
請求項１３による磁気抵抗検出器を少なくとも１つ含む生体素子。
【請求項１５】
複数の磁気抵抗検出器を含む、請求項１４による生体素子、ここで少なくとも１つの磁気抵抗検出器を参照検出器として用い、かつ、前記複数の磁気抵抗検出器の前記電気出力信号の前記振幅の安定化を、前記少なくとも１つの参照検出器から導出される情報を用いて行う。
【請求項１６】
分子診断学、生物学的標本分析又は化学的標本分析における、請求項１３による前記磁気抵抗検出器の使用。
【請求項１７】
分子診断学、生物学的標本分析又は化学的標本分析における、請求項１４による前記生体素子の使用。
【請求項１８】
分子診断学、生物学的標本分析又は化学的標本分析における、請求項１５による前記生体素子の使用。
【請求項１９】
磁気抵抗検出器の電気出力信号の振幅を安定化する方法であって、
磁場を発生すること；
磁気抵抗素子内の検出電流により誘導された前記磁場を示す検出信号を発生すること；及び
前記検出信号から導出される電気出力信号を発生すること；
を含む方法、ここで前記方法は：
前記検出信号からの直流成分を測定すること；及び
前記測定した前記直流成分に対応する前記磁場を示す前記電気出力信号の前記振幅を安定化すること；
を更に含む。
【請求項２０】
直流成分を測定することを、前記直流成分を前記検出信号から低域通過フィルタリングによって抽出することにより行う、請求項１９の方法。
【請求項２１】
前記電気出力信号の前記振幅を安定化することを、正規化器によって行う、請求項２０の方法。
【請求項２２】
磁場を発生することは磁化可能対象を磁化するための磁場を発生することを含み；
前記磁場を検出することは、前記磁化可能対象が磁化したときに発生する前記磁場を検出することを含む；
請求項１９の方法。
【請求項２３】
分子診断学、生物学的標本分析又は化学的標本分析における、請求項２２による前記方法の使用。
【発明の詳細な説明】
【技術分野】
【０００１】
本願発明は磁気抵抗検出器に関し、より詳細には、安定化出力信号を有する磁気抵抗検出器に関する。本願発明は更にそのような磁気抵抗検出器を含む生体検出器又は生体素子に関し、そのような磁気抵抗検出器の使用に関し、かつ磁気抵抗検出器の出力信号を安定化する方法に関する。
【背景技術】
【０００２】
ＡＭＲ（異方性磁気抵抗）、ＧＭＲ（巨大磁気抵抗）及びＴＭＲ（トンネル磁気抵抗）素子に基づく磁気抵抗検出器は、最近重要性を増している。ハードディスクの磁気ヘッドやＭＲＡＭのような既知の高速の応用に加えて、新しい、比較的低い帯域幅の応用が、分子診断学（ＭＤｘ）、ＩＣの中の電流検出、自動車関連等の分野に現れている。
【０００３】
このような磁気抵抗検出器を含む微小アレイ又は生体素子の導入は、ＤＮＡ（デオキシリボ核酸）、ＲＮＡ（リボ核酸）及び蛋白質の分析を革命化しつつある。応用としては、例えば、人の遺伝子型決定（例えば病院において、又は個々の医師若しくは看護師によって行うもの）、細菌のスクリーニング、並びに生物学的及び薬理学的研究がある。このような磁気抵抗生体素子は、例えば、生体分子診断のために、感度、選択性、集積、使い易さ、及び価格の点で、有望な特性を有する。
【０００４】
生体素子は、生体検出器素子、生物学的微小素子、遺伝子素子又はＤＮＡ素子とも呼ばれ、最も単純な形式では、素子上の特定の領域の基板から成る。この基板の上に多数の種々の探査分子が配置され、分析する分子又は分子断片は、完全に適合する場合は、そこに結合することができる。例えば、ＤＮＡ分子の断片は、一意の相補ＤＮＡ（ｃ−ＤＮＡ）の分子の断片の１つに結合する。結合反応が起こったことは、例えば、分析する分子と結合するマーカー（例えば蛍光マーカー）又は磁気標識を用いることによって検出できる。これにより、微量で多数の異なる分子又は分子断片を、並行して短時間で分析することができる。１つの生体素子は、１０００個以上の異なる分子断片のための分析物を保持することができる。生体素子を用いることにより利用可能となりうる情報の有用性は、今後１０年の間に急激に増加するであろうと期待されている。これは人ゲノムプロジェクトのような計画や、遺伝子と蛋白質の機能の追跡研究の結果である。
【０００５】
例えば、超常磁性粒子の検知に基づく例えば１００個の検出器の配列から成る生体検出器を、溶液（例えば血液）中の多数の異なる生体分子（例えば蛋白質又はＤＮＡ）の濃度を同時に測定するために用いてもよい。これは、超常磁性粒子を測定する目標分子に付着させ、この粒子に磁場をあてて磁化し、例えば巨大磁気抵抗（ＧＭＲ）検出器を用いて磁化した粒子の磁場を検知することによって実現してもよい。
【０００６】
図１は統合した磁場励磁を有する磁気抵抗検出器１０を示す。統合した磁場励磁を有するとは、磁場発生手段が、磁気抵抗検出器１０に統合されているという意味である。磁気抵抗検出器１０は、２つの導電体１（これらが磁場発生器を形成する）及びＧＭＲ素子２（これが磁気抵抗検出素子を形成する）を含む。磁気抵抗検出器１０の表面３に結合箇所４があり、ここに、例えば磁気微細粒子６を付着した目標分子５が結合できる。導電体１を流れる電流が磁場を発生し、この磁場が磁気微細粒子６を磁化する。磁気微細粒子６は磁気モーメントｍを持つことになる。これを図１の力線７で示す。また磁気モーメントｍは双極磁場を発生する。これは、ＧＭＲ素子２の内部に面内の磁場の成分８を有する。従って、磁気微細粒子６は導電体１を流れる電流により誘導される磁場９を偏向させる。これにより、磁場の成分８が、ＧＭＲ素子２の感度を持つｘ方向に向く。これを磁場のｘ成分Ｈｅｘｔとも呼ぶ。すると、磁場のｘ成分ＨｅｘｔをＧＭＲ素子２が検出する。磁場のｘ成分Ｈｅｘｔは、磁気抵抗検出器１０の表面３にある磁気微細粒子６の数Ｎｎｐと導電体１を流れる電流の大きさとに依存する。
【０００７】
ＧＭＲ素子２の中の面内の磁場成分Ｈｅｘｔは、ＧＭＲ素子２の抵抗値をΔＲＧＭＲ（Ｈｅｘｔ）ぶん変化させる。図２は、ＧＭＲ素子の抵抗値Ｒを、ＧＭＲ積層の感度を持つ層における面内の磁場成分Ｈｅｘｔの関数として示す。磁気抵抗検出器１０の感度ＳＧＭＲを次の数１で表す。
【数１】
2009536345.tif 000003
【発明の開示】
【発明が解決しようとする課題】
【０００８】
感度ＳＧＭＲは定数ではなく、例えば、製造誤差、時効効果及び温度のような制御できない変数に依存する。従って、磁気抵抗検出器１０が実行する測定の実効利得も、これらの制御できない変数に左右される。
【０００９】
この問題に対する解決が、特許文献１に記載されている。この文献は、磁気抵抗検出器が検出した信号の２次高調波（及び任意で例えば４次高調波のような他の高調波）を、磁気抵抗（ＭＲ）電圧において磁気抵抗検出器の感度を安定化するために用いる利得指標として用いることを記載している。高調波は、磁気抵抗検出素子の自己磁化特性により発生する。
【００１０】
この方法の欠点は、必要なハードウェアの複雑度が増すことである。別の欠点は、周波数ｆ２のベースバンド信号と、周波数２ｆ２の２次高調波を示す所望の利得との間の６５ｄＢものダイナミックレンジにより、安定度が落ちてしまうことである。これは高次の帯域通過フィルタリングを必要とするし、周波数２ｆ２の検出回路が追加で必要となることも安定度を落とす原因である。
【特許文献１】国際出願番号ＰＣＴ／ＩＢ２００５／０５３９３５
【課題を解決するための手段】
【００１１】
本願発明の目的は、良好な電気出力信号特性を有する磁気抵抗検出器装置、かかる磁気抵抗検出器を少なくとも１つ含む生体素子、及び磁気抵抗検出器の電気出力信号を安定化する方法を提供することである。この目的を本願発明による方法及び装置により達成する。
【００１２】
本発明の特定の好適な観点を添付の独立及び従属請求項に記載する。従属請求項の特徴を、必要に応じて、独立請求項の特徴と組み合わせてもよく、他の従属請求項の特徴と組み合わせてもよい。これは請求項に明示的に記載した従属関係に限定されない。
【００１３】
本願発明は次を含む磁気抵抗検出器を提供する：
−  磁場を発生するための磁場発生器、これにより発生した磁場を「発生した磁場」という；
−  磁場を検出するための少なくとも１つの磁気抵抗素子；
−  検出電流（Ｉｓｅｎｓｅ）を前記少なくとも１つの磁気抵抗素子に流すための電流源、これにより検出する前記磁場に依存する検出信号を発生する；及び
−  振幅を有し、前記検出信号から導出される電気出力信号を発生するための電子的手段、ここで前記電子的手段は安定化回路を含む；
ここで前記安定化回路は、前記発生した磁場を示す電気出力信号の成分を安定化するための手段を含む。
【００１４】
本願発明は次を含む磁気抵抗検出器を提供する：
−  磁場を発生するための磁場発生器；
−  前記磁場を検出するための少なくとも１つの磁気抵抗素子；
−  検出電流（Ｉｓｅｎｓｅ）を前記少なくとも１つの磁気抵抗素子に流すための電流源、これにより検出する前記磁場に依存する検出信号を発生する；及び
−  振幅を有し、前記検出信号から導出される電気出力信号を発生するための電子的手段、ここで前記電子的手段は安定化回路を含む；
ここで前記安定化回路は、前記検出信号の直流成分を測定するための手段及び前記直流成分に対応する前記電気出力信号の振幅を安定化するための手段を含む。
【００１５】
公知技術の問題解決では検出信号の２次（またはより高次の）高調波を利得指標として用いるが、本願発明では、検出信号の直流成分を利得指標として解釈することにより、公知技術の問題解決による磁気抵抗検出器に現れる欠点を、抑えることができ、無くすことすらできる。
【００１６】
本願発明による磁気抵抗検出器の更なる利点は、検出電流の変動を抑えるので、制御可能な高抵抗性電圧源を、通常の電流源の代わりに用いて、検出電流を供給してもよいことである。これにより、低雑音の検出電流発生器の実装が容易になる。低雑音の電圧源は、例えば、周波数領域の出力をフィルタリングすることにより、容易に実現できる。
【００１７】
磁気抵抗検出器の電気出力信号は、従って、磁気抵抗素子の感度ＳＧＭＲの変動又はＩ２若しくは検出電流Ｉｓｅｎｓｅの振幅の変動（言い換えれば電流源の揺らぎ）の影響を蒙らない。
【００１８】
磁気抵抗素子はＧＭＲ、ＴＭＲ又はＡＭＲ素子であってもよい。磁場発生器は少なくとも１つの導電体を含んでもよい。少なくとも１つの導電体は少なくとも１つの導電線から形成されてもよい。
【００１９】
本発明の実施例によれば、直流成分を測定するための手段は、低域通過フィルター（好適には直流即ち０Ｈｚ通過フィルター）を含んでもよい。好適には、低域通過フィルターは低次の低域通過フィルターであってもよく、最も好適には、１次〜３次のフィルターであってよい。電気出力信号の振幅を安定化するための手段は、検出信号の直流成分の大きさにより制御される正規化器を含んでもよい。この実施例による装置を用いれば、電気出力信号Ｕ０の振幅は、純粋に電子的に制御される。この実施例による装置は、単純な低域通過フィルターを必要とするのみである。直流成分の周波数よりもはるかに高い周波数ω１から、直流成分を分離する必要があるだけだからである。これに対して、公知技術による装置では、２次（またはより高次の）高調波を用いて出力信号を安定化するので、２つの周波数ω１とω２（この２つはそれほど違わない）を分離しなければならない。これはずっと困難であるし、従ってより複雑な部品も必要となる可能性がある。
【００２０】
本発明の実施例によれば、安定化回路はフィードフォワードループを含んでもよい。
【００２１】
他の実施例によれば、安定化回路はフィードバックループを含んでもよい。
【００２２】
本発明の実施例によれば、フィードバックループは減算器と積分ループフィルターを含んでもよい。別の実施例によれば、フィードバックループは更に乗算器を含んでもよい。乗算器は積分ループフィルターの出力により制御されてもよい。この実施例による装置では、磁気抵抗素子を利得乗算器として用いる。
【００２３】
この実施例による装置は、例えば、安定性の観点で、設計が複雑になる可能性がより低い。フィードバックループに含まれる要素がより少ないからである。それは、先の実施例による実装とは反対に、制御可能な電流源とＧＭＲ素子がフィードバックループに存在しないためである。
【００２４】
本願発明の実施例によれば、電子的手段は更に、検出信号を増幅するための増幅器を含んでもよい。
【００２５】
本願発明の実施例によれば、磁場発生器は磁化可能対象を磁化するように適応してもよく、少なくとも１つの磁気抵抗素子は、磁化可能対象が磁化したときに発生する磁場を検出するように適応してもよい。この実施例による装置を、標本中に存在し磁気粒子で標識化した目標分子を検出するために用いてもよい。
【００２６】
本願発明の実施例による磁気抵抗検出器を、分子診断学、生物学的標本分析又は化学的標本分析において用いてもよい。
【００２７】
本願発明はまた、本願発明による磁気抵抗検出器を少なくとも１つ含む生体素子を提供する。
【００２８】
本発明の実施例によれば、生体素子は複数の磁気抵抗検出器を含んでもよく、ここで少なくとも１つの磁気抵抗検出器を参照検出器として用いてもよく、磁気抵抗検出器の電気出力信号の振幅の安定化を、少なくとも１つの参照検出器をから導出される情報を用いて行ってもよい。
【００２９】
本願発明の実施例による生体素子を、分子診断学、生物学的標本分析又は化学的標本分析において用いてもよい。
【００３０】
本願発明は更に、磁気抵抗検出器の磁場発生器の発生した磁場を示す電気出力信号の成分を安定化するための方法を提供する。この方法は次を含む：
−  磁場を発生すること、これにより発生した磁場を「発生した磁場」という；
−  磁気抵抗素子内の検出電流により誘導された前記磁場を示す検出信号を発生すること；及び
−  前記検出信号から導出される電気出力信号を発生すること；
ここで前記方法は、次を更に含む：
−  前記発生した磁場を示す電気出力信号の成分を安定化すること。
【００３１】
本願発明は更に、磁気抵抗検出器の電気出力信号の振幅を安定化するための方法を提供する。この方法は次を含む：
−  磁場を発生すること；
−  磁気抵抗素子内の検出電流により誘導された前記磁場を示す検出信号を発生すること；及び
−  前記検出信号から導出される電気出力信号を発生すること；
ここで前記方法は、次を更に含む：
−  前記検出信号からの直流成分を測定すること；及び
−  前記測定した前記直流成分に対応する前記磁場を示す前記電気出力信号の前記振幅を安定化すること。
【００３２】
公知技術の問題解決では検出信号の２次（またはより高次の）高調波を利得指標として用いるが、本願発明では、検出信号の直流成分を利得指標として解釈することにより、公知技術の問題解決による磁気抵抗検出器に現れる欠点を、抑えることができ、無くすことすらできる。
【００３３】
本願発明による方法の更なる利点は、検出電流の変動を抑えることができるので、制御可能な高抵抗性電圧源を、通常の電流源の代わりに用いて、検出電流を供給してもよいことである。これにより、低雑音の検出電流発生器の実装が容易になる。低雑音の電圧源は、例えば、周波数領域の出力をフィルタリングすることにより、容易に実現できる。
【００３４】
本発明の実施例によれば、直流成分を測定することは、低域通過フィルタリングによって検出信号から直流成分を抽出することによって行ってもよい。この実施例による方法は、単純な低域通過フィルターを必要とするのみである。直流成分の周波数よりもはるかに高い周波数ω１から、直流成分を分離する必要があるだけだからである。これに対して、公知技術による方法では、２次（またはより高次の）高調波を用いて出力信号を安定化するので、２つの周波数ω１とω２（この２つはそれほど違わない）を分離しなければならない。従ってより複雑な要素が必要となる可能性がある。
【００３５】
本発明の実施例によれば、電気出力信号の振幅を安定化することを、正規化器によって行ってもよい。
【００３６】
本発明の実施例によれば、磁場を発生することは、磁化可能対象を磁化するための磁場を発生することを含んでもよく、磁場を検出することは、磁化可能対象が磁化したときに発生する磁場を検出することを含んでもよい。
【００３７】
本願発明の実施例による方法を、分子診断学、生物学的標本分析又は化学的標本分析において用いてもよい。
【００３８】
本願発明の教示により、磁気抵抗検出器の電気出力信号の振幅の安定化を行うための、進歩した方法及び装置の設計が可能となる。
【００３９】
本願発明の前述及び他の特性、機能及び利点は、本発明の原理を例を用いて説明する添付の図面と共に、後述の詳細な記載より明らかになる。この記載は例を説明するためだけのものであり、本発明の範囲を制限することは無い。図面の説明を図面の簡単な説明に示す。
【発明を実施するための最良の形態】
【００４０】
異なる図面における同一の参照符号は同一又は類似の要素を参照する。
【００４１】
本願発明を特定の実施例について特定の図面を参照して記載することになるが、本発明はそれら実施例及び図面に限定されない。特許請求の範囲が本発明を定める。記載の図面は概要を示すだけのものであり、本発明を限定しない。図面において要素のいくつかの寸法は誇張されているかもしれず、原寸に比例して描かれているとは限らない。これは説明上の目的のためである。「含む」という語を本願明細書及び特許請求の範囲において用いる場合には、他の要素又は工程を排除しない。例えば「本」「前記」「ある」「別の」等の修飾を名詞に用いる場合には、その名詞は複数の場合も含む。但し明示的に異なるように述べている場合を除く。
【００４２】
更に、本願明細書及び特許請求の範囲において、第１、第２、第３、等の語を用いるのは、類似する要素を区別するためである。これらは必ずしも、序列又は時間順序を記述するためとは限らない。ここで用いるこれらの語は、適切な状況下では相互に交換可能であり、本願に記載する本発明の実施例は、本願に記載の又は図示の順とは異なる順で動作することもできるということを、理解しなければならない。
【００４３】
更に、上、下、等の語を本願明細書及び特許請求の範囲において用いるのは、説明の目的のためである。これらは必ずしも、相対位置を記述するためとは限らない。ここで用いるこれらの語は、適切な状況下では相互に交換可能であり、本願に記載する本発明の実施例は、本願に記載の又は図示の方向とは異なる方向で動作することもできるということを、理解しなければならない。
【００４４】
本願発明は、安定化した電気出力信号特性を有する磁気抵抗検出器に関し、そのような磁気抵抗検出器を少なくとも１つ含む生体素子に関し、かつ、磁気抵抗検出器の電気出力信号を安定化するための方法に関する。安定化した電気出力信号特性を有するとは、電気出力信号が、検出器にある磁気抵抗素子の感度ＳＧＭＲの変動及び磁気抵抗素子を流れる検出電流の振幅の変動から独立しているということである。更に、磁気検出器は、検出器の表面に付着した又はその近傍の測定対象の粒子の磁気特性を検知することに基づく、いかなる適切な検出器であってもよい。従って、磁気検出器は、コイル、磁気抵抗検出器、磁気制限検出器、ホール検出器、平面ホール検出器、磁束ゲート検出器、ＳＱＵＩＤ（超伝導量子干渉計）、磁気共鳴検出器、又は磁場に反応するその他の検出器として設計可能である。
【００４５】
本願発明による磁気抵抗検出器は次の（１）〜（４）を含む：（１）磁場を発生するための磁場発生器（これにより発生した磁場を「発生した磁場」という）；（２）磁場を検出するための少なくとも１つの磁気抵抗素子；（３）検出電流（Ｉｓｅｎｓｅ）を前記少なくとも１つの磁気抵抗素子に流すための電流源（これにより検出する前記磁場に依存する検出信号を発生する）；及び（４）振幅を有し、前記検出信号から導出される電気出力信号を発生するための読み出し回路（前記読み出し回路は安定化回路を含む）。本願発明によれば、安定化回路は、検出信号の直流成分を測定するための手段及び直流成分を用いて電気出力信号の振幅を安定化するための手段を含む。又は、より一般的に言えば、安定化回路は、発生した磁場を示す電気出力信号の成分を安定化するための手段を含む。
【００４６】
磁場発生器は、磁気抵抗検出器の近傍にあり、検知する目標分子に付着した、磁化可能対象を磁化するためのものであってよい。磁化可能対象は好適には磁気微細粒子であるが、目標分子に付着できれば、いかなる他の適切な磁化可能対象であってもよい。本願発明を、更に、次の（１）及び（２）を有する１つ以上の磁気抵抗検出器によって記述することになる。（１）磁化可能対象を磁化するための磁場発生器；及び（２）磁化可能対象が磁化したときに発生する磁場を検出するための少なくとも１つの磁気抵抗素子。ここで磁化可能対象とは磁気微細粒子である。本願発明の実施例によれば、磁場発生器は少なくとも１つの導電体を含んでもよい。これは本発明をいかなる方法でも限定しないことを理解しなければならない。
【００４７】
少なくとも１つの磁気抵抗素子は、磁場発生器が発生した磁場又は、磁場発生器が発生した磁場により磁化可能対象（例えば磁気微細粒子）が磁化した際に発生する磁場を、検出するためのものである。本願発明の実施例によれば、磁気抵抗素子は、磁場を印加した結果、１つ以上の層の磁化の向きが変わる際に電気抵抗が変化する素子であってよい。例えば巨大磁気抵抗（ＧＭＲ）素子、トンネル磁気抵抗（ＴＭＲ）素子、又は異方性磁気抵抗（ＡＭＲ）素子である。
【００４８】
ＧＭＲ技術では、２つの磁性薄膜を近接して並べる構造を取る。第１の磁性薄膜（固定層）は磁化の向きが固定されている。通常これは交換バイアス層に密接して第１の磁性薄膜を配置することによる。交換バイアス層は、第１の磁性薄膜の磁化の向きを固定する反強磁性の材料による層である。第２の磁性薄膜又は自由層は、自由で可変の磁化の向きを有する。本願発明による検出器の近くにある例えば磁気微細粒子（例えば超常磁性粒子）のような磁性体の磁化が変化することから生ずる磁場の変化により、自由磁性層の磁化の向きが転回する。これにより今度はＧＭＲ構造の抵抗が増減する。自由層（検出層）と固定層が同じ向きに磁化していると、一般に抵抗が低くなる。自由層（検出層）と固定層の磁化の向きが逆だと抵抗はより高くなる。
【００４９】
ＴＭＲは、２つの強磁性体の電極層が、絶縁（トンネル）障壁を挟みこむシステムで観察できる。この障壁は非常に薄い必要がある。即ち、１ｎｍのオーダーでなければ、電子がこの障壁をトンネル通過することができない。これは量子力学的な移転過程である。交換バイアス層を用いることにより、１つの層の磁気整列を、もう１つの層に影響を与えずに、変えることができる。本願発明の実施例による、例えば超常磁性粒子のような磁性体の磁化が変化することから生ずる磁場の変化により、強磁性体の電極層の１つの磁化の向きが転回する。これにより今度はＴＭＲ構造の抵抗が増減する。
【００５０】
強磁性体のＡＭＲとは、抵抗値が、磁化の方向に対して電流が作る角度に、依存することである。この現象は、強磁性体の断面に散乱する電子の非対称性による。
【００５１】
本願発明を以降ＧＭＲ素子を用いて説明するが、理解しなければならないのは、このことは、本発明を決して限定しないということ、及び、このＧＭＲ素子の代わりに、前述のＴＭＲ素子やＡＭＲ素子のような、磁場に依存する特性又は変数を有するいかなる他の手段も、同様に適用できるということである。
【００５２】
図３は本願発明の実施例による磁気抵抗検出器２０の断面図である。磁気抵抗検出器２０は、磁気抵抗素子２１（この例ではＧＭＲ素子とする）、及び磁場発生器（この例では２つの導電体２２を含む）を含む。
【００５３】
本願の例によれば、ＧＭＲ積層構造を含むＧＭＲ素子２１を含む磁気抵抗検出器２０においては、電流分布が非対称的であるため、検出電流Ｉｓｅｎｓｅは、図３の矢印２３が示す面内の磁場成分Ｈｉｎｔを誘導することになる。これを数２に示す。
【数２】
2009536345.tif 000004
ここでαは定数であり、Ｉｓｅｎｓｅは磁気抵抗素子２１（この例ではＧＭＲ素子とする）を流れる検出電流である。面内の磁場成分２３もまた、磁気抵抗素子２１（この例ではＧＭＲ素子とする）により検出されることになる。面内の磁場成分Ｈｉｎｔの効果は、内部の磁気クロストークとして解釈することができる。
【００５４】
図４に、ＧＭＲ積層構造２４を含むＧＭＲ素子２１の断面図を示す。ここでＧＭＲ積層構造２４を流れる検出電流Ｉｓｅｎｓｅを模式的に示す。ＧＭＲ積層構造２４は、非磁性層２５、自由又は検出磁性層２６及び固定磁性層２７を含む。ＧＭＲ積層構造２４における電流分布は、自由又は検出磁性層２６と固定磁性層２７とに挟まれる非磁性層２５を中心とする。検出電流Ｉｓｅｎｓｅの重心を、最適な位置である自由又は検出磁性層２６の直下に移すと、検出電流Ｉｓｅｎｓｅが自由又は検出磁性層２６に誘導する磁界はより強くなるので、安定化回路の制御範囲及び利得が大きくなる。これは、積層構造における抵抗の割り振りを最適化することによって実現できる。例えば、低抵抗の層を積層構造に追加すること、又はＧＭＲ積層構造２４における種々の層の厚さを変えること等である。例えば、抵抗の割り振りを、自由磁性層（例えばＮｉＦｅ層）の厚さ及び／又は固定磁性層（例えばＣｏＦｅ層）の厚さを変えることによって、変えることができる。前述のパラメーターαとＳＧＭＲは両方、ＧＭＲ積層構造２４における電流分布の関数である。
【００５５】
磁気抵抗素子２１における検出電流Ｉｓｅｎｓｅそれ自体が発生する面内の磁場成分を、前述の通り、図３の矢印２３に示す。磁気抵抗素子２１（例えばＧＭＲ素子）における検出電流Ｉｓｅｎｓｅそれ自体が発生する面内の磁場成分２３のせいで、結果の検出信号及びこの検出信号から導出されるいかなる信号（例えば検出信号から導出される電気出力信号）も、例えば検知する目標分子に関して、信頼できる測定値にとはならない。検出信号は、例えば目標分子に付着した磁化可能対象が発生する磁場のような外部磁場からだけに由来するものではないからである。この面内の磁場成分２３は、例えば電流が不安定になる原因であるから、時間が経つにつれ更に変化するかも知れず、電気出力信号を不安定にするかもしれない。
【００５６】
図５は磁気抵抗検出器２０の部分を示す。ここで、外部磁場Ｈｅｘｔ（例えば磁気微細粒子のような磁化可能対象に例えば由来するもの）に加えて、磁気抵抗素子２１（例えばＧＭＲ素子）における検出電流Ｉｓｅｎｓｅそれ自体が発生する内部磁場Ｈｉｎｔを示す。電流源２８は検出電流Ｉｓｅｎｓｅ＝Ｉ２ｓｉｎ（ω２ｔ）を磁気抵抗素子２１（例えばＧＭＲ素子）に供給する。検出電流Ｉｓｅｎｓｅは、検出信号ＵＧＭＲを磁気抵抗素子２１（例えばＧＭＲ素子）にわたって発生させる。検出信号ＵＧＭＲを次に増幅器２９が増幅してもよい。増幅器２９は信号ＵＡＭＰを出力する。前述の通り、検出電流Ｉｓｅｎｓｅは、ＧＭＲ素子２１の検出磁性層２６に面内の磁場成分２３（数２を参照のこと）を発生させる。面内の磁場成分Ｈｉｎｔの効果は、内部の磁気クロストークとして解釈することができ、検出信号ＵＧＭＲに次の電圧成分を生ずることになる。
【数３】
2009536345.tif 000005
【００５７】
その結果、検出信号ＵＧＭＲは直流成分を含む。この直流成分を、本願発明によれば、安定化した振幅を有する電気出力信号Ｕ０を得るために用いる。このことを次に説明する。ＧＭＲ素子２１の検出磁性層２６における面内の磁化の合計ＨＸは数４により求められる。
【数４】
2009536345.tif 000006
【００５８】
検出信号ＵＧＭＲは数５で表現できる。
【数５】
2009536345.tif 000007
【００５９】
Ｉｓｅｎｓｅ＝Ｉ２ｓｉｎ（ω２ｔ）と代入することにより、検出信号ＵＧＭＲは数６のように書ける。
【数６】
2009536345.tif 000008
【００６０】
粒子からの磁場をＨｅｘｔ＝Ｈ１ｓｉｎ（ω１ｔ）と仮定して計算すると、数７が得られる。
【数７】
2009536345.tif 000009
【００６１】
数７の第１項が直流成分であり、これを今後、利得指標Ｇとも呼ぶ。直流成分即ち利得指標Ｇを数８に示す。
【数８】
2009536345.tif 000010
【００６２】
この直流成分即ち利得指標Ｇを、本願発明によれば、電気出力信号の振幅を安定化するために用いる。
【００６３】
従って、本願発明によれば、磁気抵抗検出器２０の電子的読み出し手段は、電気出力信号の振幅を安定化するための安定化回路を含む。これにより、測定値が信頼できるものになる。この測定値は、磁気抵抗素子２１の感度ＳＧＭＲの変動又はＩ２（即ち検出電流Ｉｓｅｎｓｅの振幅）の変動（言い換えれば電流源２８の揺らぎ）の影響を受けない。
【００６４】
以降に本発明を種々の実施例を用いて説明する。
【実施例１】
【００６５】
図６に、本願発明の実施例１による磁気抵抗検出器２０の概略を示す。磁気抵抗検出器２０は、磁場発生器を含んでもよいが、図示していない。磁場発生器は、磁気抵抗検出器２０を提供する基板の内部又は外部の磁場発生器であってよい。これにより外部磁場Ｈｅｘｔを発生する。磁気抵抗検出器２０を提供する基板の内部の磁場発生器の例は、例えば、図３に示す２つの導電体２２を含んでもよい。磁気抵抗検出器２０は、次の（１）〜（３）を更に含んでもよい：（１）少なくとも１つの磁気抵抗素子２１；（２）電流源２８、これにより少なくとも１つの磁気抵抗素子２１に検出電流Ｉｓｅｎｓｅを流し、それによって検出信号ＵＧＭＲを発生する；及び（３）電子的手段３０、これにより電気出力信号Ｕ０を検出信号ＵＧＭＲから導出して発生させる。電子的手段３０は、安定化回路３０ａを少なくとも含む。安定化回路３０ａは、電気出力信号Ｕ０の振幅を安定化し、それにより安定化した振幅を有する電気出力信号Ｕ０を得るためのものである。安定化した振幅を有するとは、電気出力信号Ｕ０は、磁気抵抗素子２１の感度ＳＧＭＲに反応又は従属せず、かつ、Ｉ２の変動（即ち電流源２８が供給する検出電流Ｉｓｅｎｓｅの振幅の変動）に反応又は従属しない、という意味である。
【００６６】
安定化回路３０ａは、次の（１）及び（２）を含む：（１）検出信号ＵＧＭＲの直流成分を測定するための手段；及び（２）電気出力信号Ｕ０の振幅を安定化するための手段。従って、安定化回路３０ａは、直流成分を用いることにより、安定化した振幅を有する電気出力信号Ｕ０を得るために役立つ。
【００６７】
この実施例によれば、安定化回路３０ａは、低域通過フィルター３１（好適には直流即ち０Ｈｚ通過フィルター）を含んでもよい。これにより、直流成分（利得指標Ｇとも呼ぶ）を検出信号ＵＧＭＲから抽出する。利得指標Ｇを次の数９に示す。
【数９】
2009536345.tif 000011
【００６８】
低域通過フィルター３１は、低次のフィルターであってもよく、好適には、１次〜３次のフィルターであってよい。安定化回路３０ａは、正規化器３２を更に含んでもよい。正規化器３２は、増幅器２９の出力に結合した信号入力を有し、検出信号ＵＧＭＲを増幅した信号ＵＡＭＰをここから受け取る。かつ、正規化器３２は、乗算器３３の入力に結合した信号出力を有し、ここへ正規化した信号ＵＮＯＲＭを出力する。利得指標Ｇは正規化器３２へのフィードフォワードループに結合する。正規化器３２において、信号ＵＡＭＰは数１０によって制御される。
【数１０】
2009536345.tif 000012
【００６９】
実用的な実装においては、図６に示すｇａｉｎｍａｘは、数１１によって、正規化器３２の利得の上限を定める。
【数１１】
2009536345.tif 000013
【００７０】
これは、Ｇ＝０の場合に雑音を過大に増幅してしまうのを避けるためである。正規化器３２の動作は当業者には周知であるため、これより先は記載しない。
【００７１】
信号ＵＮＯＲＭは、直流成分即ち利得指標Ｇを用いて振幅を安定化した信号である。このように安定化した信号ＵＮＯＲＭを、次に、乗算器３３によって同調して復調してもよい。乗算器３３は、信号ＵＮＯＲＭを、ｃｏｓ（ω１―ω２）ｔ若しくはｃｏｓ（ω１＋ω２）ｔの片方又はこれらの信号の組み合わせと乗算する。乗算器３３の出力となる結果の信号ＵＭＰを、次に低域通過フィルター３４でフィルターしてもよく、それによって電気出力信号Ｕ０を出力する。電気出力信号Ｕ０は、外部の磁場に関連する測定値である。例えば、磁化可能対象の濃度を示す測定値である。磁化可能対象とは、例えば、磁気抵抗検出器２０の表面にある磁気微細粒子である。従って、この場合では、目標分子の濃度を示す測定値となる。目標分子とは例えば生物学的分子であり、これが測定の対象であった。電気出力信号Ｕ０は、感度ＳＧＭＲの変動の影響を蒙らず、かつ、検出電流Ｉｓｅｎｓｅの振幅（即ちＩ２）の変動の影響を蒙らない。
【実施例２】
【００７２】
本願発明による実施例２を図７に示す。ここで、安定化回路３０ａは、減算器３５を含んでもよい。減算器３５で、既定の値ｓｐＡＧＣを、増幅した検出信号ＵＡＭＰから引く。既定の値ｓｐＡＧＣは、Ｇの所望の値又は設定点である。制御ループは、検出電流の振幅を、この値に近づけるように調整する。ｓｐＡＧＣの値は、要求される信号対雑音比によって決められる最小の値と、磁気抵抗検出素子２１に許容される電力損失によって決められる最大の値との間であれば、いかなる値でもよい。
【００７３】
この結果の信号が誤り信号Ｕｅｒｒである。Ｕｅｒｒは、積分ループフィルター３６に送られる。既定の値ｓｐＡＧＣは、増幅器２９、減算器３５、積分ループフィルター３６、電流源２８及び磁気抵抗素子２１（例えばＧＭＲ素子）が形成する負のフィードバックループの動作点を決定する。積分ループフィルター３６の出力信号を、次に、電流源２８が供給する検出電流Ｉｓｅｎｓｅの振幅を適応するために用いてもよい。従って、フィードバックループの利得が十分に高い場合には、減算器３５の出力の（又は積分ループフィルター３６の入力の）誤り信号Ｕｅｒｒは、ほぼ零になるように制御されることになる。従って、磁気抵抗検出器２０の実効感度は既定の値と等しいことになり、ひいては安定化する。ひいては安定化した信号ＵＡＭＰを、次に、乗算器３３によって同調して復調してもよい。乗算器３３は、信号ＵＡＭＰを、ｃｏｓ（ω１―ω２）ｔ若しくはｃｏｓ（ω１＋ω２）ｔの片方又はこれらの信号の組み合わせと乗算する。乗算器３３の出力となる結果の信号ＵＭＰを、次に低域通過フィルター３４でフィルターしてもよく、それによって電気出力信号Ｕ０を出力する。電気出力信号Ｕ０は、外部の磁場に関連する測定値である。例えば、磁化可能対象の濃度を示す測定値である。磁化可能対象とは、例えば、磁気抵抗検出器２０の表面にあり目標分子に付着した磁気微細粒子である。従って、目標分子の濃度を示す測定値となる。目標分子とは例えば生物学的分子であり、これが測定の対象であった。電気出力信号Ｕ０は、磁気抵抗素子２１の感度ＳＧＭＲの変動の影響又は検出電流Ｉｓｅｎｓｅの振幅（即ちＩ２）の変動（言い換えれば電流源２８の揺らぎ）の影響を蒙らない。
【実施例３】
【００７４】
本願発明による別の実施例を図８に示す。この実施例では、安定化回路３０ａは、図７に示す実施例２と似て、減算器３５及び積分ループフィルター３６を含んでもよい。減算器３５で、既定の値ｓｐＡＧＣを、信号ＵＡＭＰから引く。既定の値ｓｐＡＧＣは、Ｇの所望の値又は設定点である。制御ループは、検出電流の振幅を、この値に近づけるように調整する。ｓｐＡＧＣの値は、要求される信号対雑音比によって決められる最小の値と、検出器に許容される電力損失によって決められる最大の値との間であればよい。
【００７５】
この結果の信号が誤り信号Ｕｅｒｒである。Ｕｅｒｒは、積分ループフィルター３６に送られる。
【００７６】
この実施例によれば、安定化回路３０ａは、第２の乗算器３７を更に含んでもよい。第２の乗算器３７の第１の入力は増幅器２９の出力に接続する。この実施例によれば、積分ループフィルター３６の出力は、電流源２８に接続されていない。（図７の実施例２では電流源２８に接続されている。）そのかわりに、積分ループフィルター３６の出力は、第２の乗算器３７の第２の入力に接続されている。このように、増幅した検出信号ＵＡＭＰは、利得指標Ｇと乗算される。第２の乗算器３７を用いて、積分ループフィルター３６の出力の制御下で、信号ＵＡＭＰの振幅を操る。
【００７７】
注意しなければならないのは、図７と図８における磁気抵抗検出器２０の実装はよく似ているけれど、この二つの回路の動作原理は異なるということである。図８に示す回路の動作原理は、図６に示す回路の動作原理と似ている。図６及び図８においては、電気出力信号Ｕ０の振幅が、純粋に電子的に制御されている。ところが図７では、磁気抵抗素子２１をいわば「利得乗算器」として用いている。
【００７８】
基本的に、この実施例によれば、第２の乗算器３７、減算器３５及び積分ループフィルター３６が形成する負のフィードバックループが、図６において、低次の低域通過フィルター３１及び正規化器３２が形成するフィードフォワードループと似た機能を果たす。即ち、増幅された検出信号の振幅を、利得指標Ｇを用いて、これらループの形成要素の直接の結合によって、安定化する。これは、図７に示す実施例２の動作原理とは異なる。図７の実施例２では、増幅された検出信号の振幅を、利得指標Ｇを用いて、検出電流Ｉｓｅｎｓｅを変えることによって、安定化する。
【００７９】
更に注意しなければならないのは、図７による磁気抵抗検出器２０の実装と比べて、図８による磁気抵抗検出器２０の実装は、例えば安定性の観点で、設計が複雑になる可能性がより低いということである。図８による磁気抵抗検出器２０の実装は、フィードバックループに含む要素がより少ないからである。すなわち、図７による磁気抵抗検出器２０の実装では、制御可能な電流源２８及びＧＭＲ素子２１をフィードバックループに含むが、図８による磁気抵抗検出器２０の実装では、それらをフィードバックループに含まない。
【００８０】
公知技術による問題解決のように、検出信号の２次（またはより高次の）高調波を利得指標として用いるのではなく、検出信号ＵＧＭＲの直流成分を利得指標として解釈することにより、これら公知技術の問題解決による磁気抵抗検出器に現れる欠点を、抑えることができ、無くすことすらできる。
【００８１】
本願発明による磁気抵抗検出器２０の更なる利点は、検出電流Ｉｓｅｎｓｅの変動を更に抑えることである。これにより、制御可能な高抵抗性電圧源を、通常の電流源の代わりに用いて、検出電流Ｉｓｅｎｓｅを供給することができる。これにより、低雑音の検出電流発生器２８の実装が容易になる。低雑音の電圧源は、例えば、周波数領域の出力をフィルタリングすることにより、容易に実現できる。
【００８２】
磁気抵抗素子２１（この例ではＧＭＲ素子）内部の検出電流Ｉｓｅｎｓｅそれ自体が発生する面内の磁場成分Ｈｉｎｔは、磁気抵抗素子２１（例えばＧＭＲ素子）に集中している。従って、磁気抵抗検出器２０の表面にある磁化可能対象（例えば磁気微細粒子）と、磁気抵抗素子２１（例えばＧＭＲ素子）に印加される検出電流Ｉｓｅｎｓｅとの間の相互作用は、無視できる。従って、本願発明によれば、外部磁場が、磁化可能対象（磁気粒子とも呼ぶ）との相互作用によって測定される実施例においては、磁気抵抗素子２１（例えばＧＭＲ素子）それ自体が発生するこの面内の磁場成分に対する補正を、実際の磁気粒子の測定と同時に適用することができる。
【００８３】
注意しなければならないのは、磁気抵抗（例えばＧＭＲ）特性が非線形であることに由来する高調波歪み成分を、無視できるということである。検出電流Ｉｓｅｎｓｅが誘導する磁場の交流振幅は小さいからである。これは、印加される磁場の振幅に対して、Ｒ（Ｈ）特性（図２を参照）は線型であると仮定できるからである。
【実施例４】
【００８４】
別の観点で、本願発明はまた、本願発明の実施例による磁気抵抗検出器２０を少なくとも１つ含む、生体素子を提供する。図９は、本願発明の実施例による生体素子４０を示す。生体素子４０は、基板４１に統合される、本願発明の実施例による磁気抵抗検出器２０を、少なくとも１つ含んでもよい。「基板」という語は、使用可能な、又は、その上に装置、回路若しくはエピタキシャル層を形成してもよい、いかなる基礎の材料又は諸材料を含んでもよい。「基板」という語は、半導体基板を含んでもよい。例えば、不純物を添加したシリコン、ガリウム砒素（ＧａＡｓ）、ガリウム砒素燐（ＧａＡｓＰ）、インジウム燐（ＩｎＰ）、ゲルマニウム（Ｇｅ）、又はシリコンゲルマニウム（ＳｉＧｅ）の基板である。「基板」は例えばＳｉＯ２又はＳｉ３Ｎ４層のような絶縁層を、半導体基板の部分に加えて、含んでもよい。従って、「基板」という語は、ガラス、プラスチック、セラミック、シリコンーオンーガラス、シリコンーオンーサファイヤの基板も含む。従って、「基板」という語を、対象の層又は部分の基礎にある層の要素を一般に定義するために用いる。「基板」はまた、層（例えばガラスの層又は金属の層）をその上に形成できる、いかなる他の基礎であってもよい。
【００８５】
本発明の実施例によれば、単一の磁気抵抗検出器２０又は複数の磁気抵抗検出器２０を、同一の基板４１に統合して、生体素子４０を形成してもよい。
【００８６】
磁気抵抗検出器２０の磁場発生器２２は、基板４１の外部の磁場発生器でもよいし、又は、図９に示す本願の例のように、基板４１に統合したものでもよい。本願の例によれば、磁場発生器２２は第１の導電体及び第２の導電体を含んでもよい。これらは例えば、第１の導電線２２ａ及び第２の導電線２２ｂによって実装される。また、この第１の導電線２２ａ及び第２の導電線２２ｂの代わりに、他の手段を適用して外部磁場を発生してもよい。更に、磁場発生器２２はまた、異なる数の導電体を含んでもよい。別の実施例によれば、磁場発生器２２はまた、基板４１の外部に位置してもよい。
【００８７】
磁気抵抗検出器２０の各々において、少なくとも１つの磁気抵抗素子２１（例えばＧＭＲ素子）を、基板４１に統合してもよい。これにより、生体素子４０が収集する情報を読み出す。従って例えば目標粒子４３の存在又は不在を読み出す。このために磁化可能対象４５を用いる。磁化可能対象４５は例えば磁気微細粒子である。これを目標粒子４３に付着させる。これにより、目標粒子４３の面密度を測定又は推定する。磁化可能対象４５は例えば磁気粒子である。これは好適には所謂超常磁性粒子で実装する。結合箇所４２は、目標分子４３を選択的に結合することができ、探査素子４４に取り付けられている。探査素子４４は基板４１の上面に取り付けられている。
【００８８】
生体素子４０の機能、及び従って磁気抵抗検出器２０の機能も、次に述べる。各探査素子４４は、特定の型の結合箇所４２を備えてもよい。これにより、既定の目標分子４３を結合する。目標の標本は、検知する目標分子４３を含む。目標の標本を、生体素子４０の探査素子４４に提示又は通過させてもよい。この際に結合箇所４２及び目標分子４３が合致すれば、この二つは互いに結合する。超常磁性粒子４５又はより一般的には磁化可能対象は、直接的または間接的に目標分子４３に結合してもよい。磁化可能対象（例えば超常磁性粒子４５）により、生体素子４０が集めた情報を読み出すことができる。
【００８９】
図９に示す実施例において、外部磁場は磁化可能対象（例えば超常磁性粒子４５）を磁化する。磁化された磁化可能対象（例えば超常磁性粒子４５）は、その反応として、磁場を発生する。この発生した磁場を、磁気抵抗素子２１（例えばＧＭＲ素子）が検知することができる。必須ではないが、磁気抵抗素子２１（例えばＧＭＲ素子）は、好適には次のように位置することが望ましい。即ち、磁気抵抗素子２１（例えばＧＭＲ素子）を通過する、磁化可能対象４５が発生した、反応の磁場の部分が、磁気抵抗素子２１（例えばＧＭＲ素子）の感度のある向きに並ぶようにである。
【００９０】
本願発明の実施例によれば、生体素子４０は、磁気抵抗検出器２０の配列を含んでもよく、ここで１つの磁気抵抗検出器２０が参照検出器の役割を果たしてもよく、他の磁気抵抗検出器２０の電気出力信号Ｕ０の振幅の安定化を、参照検出器をから導出される情報の援助を用いて行ってもよい。この実施例によれば、利得の変動は、磁気抵抗検出器２０の配列の各々について同一であると仮定している。これは妥当な仮定である。磁気抵抗検出器２０は同一の生体素子４０において互いに近くに位置するからである。
【００９１】
本願発明による磁気抵抗検出器２０、生体素子４０、及び方法を、分子診断学、生物学的標本分析又は化学的標本分析において用いてもよい。
【００９２】
好適な実施例、個別の構築及び構成、並びに材料を、本願発明による装置のために本願において説明したが、形態及び詳細における種々の変化及び変更を、本発明の範囲及び精神から逸脱することなく行ってもよいということを理解する必要がある。
【図面の簡単な説明】
【００９３】
【図１】公知技術による、統合した磁場励磁を有する磁気抵抗検出器を示す図である。
【図２】ＧＭＲ素子の抵抗値を、印加する外部磁場の関数として示す図である。
【図３】磁気抵抗検出器における磁気クロストークを示す図である。
【図４】ＧＭＲ積層構造を流れる電流を示す断面図である。
【図５】一方で磁場発生手段を流れる電流により発生する外部磁場及び他方で磁気抵抗検出器素子自体が発生する内部磁場の寄与を示す図である。
【図６】本願発明の実施例による磁気抵抗検出器装置を示す図である。
【図７】本願発明の別の実施例による磁気抵抗検出器装置を示す図である。
【図８】本願発明のまた別の実施例による磁気抵抗検出器装置を示す図である。
【図９】本願発明の実施例による磁気抵抗検出器を含む生体素子を示す図である。
【図１】
2009536345.tif 000014
【図２】
2009536345.tif 000015
【図３】
2009536345.tif 000016
【図４】
2009536345.tif 000017
【図５】
2009536345.tif 000018
【図６】
2009536345.tif 000019
【図７】
2009536345.tif 000020
【図８】
2009536345.tif 000021
【図９】
2009536345.tif 000022
【国際調査報告】
2009536345.tif 000023
2009536345.tif 000024
2009536345.tif 000025